(57)【特許請求の範囲】
【請求項１】
本体と、ディスプレイ画面モジュールと、バッテリと、筐体とを備え、前記本体は、収容溝と、バッテリ部と、回路ボードとを備え、前記本体は、第１の面と、前記第１の面とは反対側の第２の面とを備え、前記収容溝は、前記第１の面に位置し、前記バッテリ部は、前記第２の面に位置し、前記回路ボードは、前記バッテリ部に隣接し、穴が、前記収容溝の溝底壁の側部に配置され、前記穴は、前記第２の面の、前記バッテリ部が配置された一端を貫通し、前記バッテリは、前記バッテリ部内に収容され、前記筐体は、前記本体を覆って前記バッテリ部を囲み、フレキシブル回路ボードが、前記ディスプレイ画面モジュール上に配置され、前記ディスプレイ画面モジュールは、前記収容溝内に収容され、前記フレキシブル回路ボードは、前記穴を貫通し、前記バッテリ部の側部から前記バッテリの、前記筐体に対面する表面へ屈曲し、前記回路ボードに接続するまで、前記表面に沿って延設することを特徴とする電子装置。
【請求項２】
前記フレキシブル回路ボードは、接続セグメントと、曲げセグメントと、延設セグメントとを備え、前記曲げセグメントは、前記接続セグメントと前記延設セグメントとを接続し、前記接続セグメントは、前記ディスプレイ画面モジュールに接続され、前記延設セグメントは、前記回路ボードに接続されることを特徴とする請求項１に記載の電子装置。
【請求項３】
メッシュ状の銅レイヤが、前記曲げセグメントの表面に配置されることを特徴とする請求項２に記載の電子装置。
【請求項４】
バッファ溝が、前記接続セグメント上に配置され、前記バッファ溝は、前記接続セグメントと前記曲げセグメントとの間の接合部の２つの側部に位置し、前記バッファ溝は、前記接続セグメントへ延設することを特徴とする請求項２に記載の電子装置。
【請求項５】
前記ディスプレイ画面モジュールは、ガラス基板を備え、前記接続セグメントの、前記曲げセグメントから離れた表面の一部は、前記ガラス基板の表面に取り付けられ、前記接続セグメントの、前記曲げセグメントから離れた前記表面の別の一部は、前記ガラス基板から延設し、前記ガラス基板との角度を形成し、接着材が、前記角度において設けられることを特徴とする請求項２に記載の電子装置。
【請求項６】
接続片が、前記延設セグメントの、前記曲げセグメントから離れた一端に配置され、前記接続片は、前記回路ボードを電気的に接続するように構成されることを特徴とする請求項５に記載の電子装置。
【請求項７】
接地ピンが、前記接続片上に設けられ、前記フレキシブル回路ボードの接地を行うように構成されることを特徴とする請求項６に記載の電子装置。
【請求項８】
第１の位置決め線が、前記延設セグメントの、前記バッテリ部の裏側に位置する表面に設けられ、前記第１の位置決め線は、前記回路ボードに関して、前記フレキシブル回路ボードのプラグイン位置を決定するように構成されることを特徴とする請求項２乃至６のいずれか一項に記載の電子装置。
【請求項９】
位置決めノッチが、前記延設セグメントの２つの側部に設けられることを特徴とする請求項２乃至６のいずれか一項に記載の電子装置。
【請求項１０】
第２の位置決め線が、前記曲げセグメントと前記延設セグメントとの間の接合部の表面に設けられ、前記第２の位置決め線は、前記穴に関して、前記曲げセグメントの位置を決定するように構成されることを特徴とする請求項２乃至６のいずれか一項に記載の電子装置。
【請求項１１】
前記延設セグメントの、前記バッテリに対面する表面は、両面テープを使用することによって、前記バッテリに固定されることを特徴とする請求項１乃至７のいずれか一項に記載の電子装置。
【請求項１２】
バッファパッドが、前記筐体の、前記バッテリに対面する表面に配置され、前記バッファパッドは、前記フレキシブル回路ボードおよび前記バッテリを保持することを特徴とする請求項１乃至７のいずれか一項に記載の電子装置。
【請求項１３】
ある間隔で配置される２つの導電レイヤが、前記延設セグメントの、前記バッテリに対面する表面に配置されることを特徴とする請求項１乃至６のいずれか一項に記載の電子装置。
【請求項１４】
前記収容溝は、前記溝底壁を備え、前記穴は、前記溝底壁の縁に設けられ、前記電子装置は、ラウドスピーカと、ラウドスピーカサポートとをさらに備え、前記ラウドスピーカサポートは、前記本体に取り付けられ、前記穴の縁と前記筐体との間でクランプ留めされることを特徴とする請求項１乃至７のいずれか一項に記載の電子装置。
【請求項１５】
前記ディスプレイ画面モジュールは、ＥＳＲ反射フィルムを備え、前記ＥＳＲ反射フィルムの厚さは、０．０８９ｍｍであり、バッファレイヤが、前記ＥＳＲ反射フィルムの、前記接続セグメントとは反対側の表面に配置されることを特徴とする請求項２乃至７のいずれか一項に記載の電子装置。
【発明の詳細な説明】
【技術分野】
【０００１】
本発明は電子通信の分野に関し、特に電子装置に関する。
【背景技術】
【０００２】
既存の電子装置、例えば、携帯電話のＬＣＤ（液晶ディスプレイ）モジュールのＦＰＣ（フレキシブルプリント回路）が、携帯電話内部に組み込まれるとき、ＦＰＣは、携帯電話内部の回路ボードに接続されるために、前面カバーにおいて取り付けられるバッテリの下を通る。加えて、前面カバーは、ＬＣＤモジュールを収容する必要がある。したがって、ＬＣＤ部のすぐ下に穴が開けられる必要があり、ＦＰＣは穴を貫通した後、バッテリとバッテリ部との間に位置するようにする。そのような組み立て態様では、ＬＣＤモジュールは、バッテリを取り付ける前に、取り付けられる必要がある。すなわち、ＦＰＣは、バッテリと前面カバーとの間にクランプ留めされる。その結果、バッテリの取り付け中、押力が生じて、ＦＰＣおよびＬＣＤ部に加えられる。さらに、ＦＰＣのための穴を開けるためのスペースを確保するために、前面カバーの厚みは、取って代えられるように小さくされる必要がある。結果的に、前面カバーの強度は弱められ、前面カバーは変形しやすくなる。これは、ＬＣＤ部の平面度に影響し、さらに、ＬＣＤ性能の信頼性に影響する。
【発明の概要】
【０００３】
本発明の実施形態は、バッテリがＦＰＣおよびディスプレイモジュール部本体に対して押力を加えるためにハウジング強度が影響を受けるという技術的問題を解決するように電子装置を提供する。
【０００４】
第１の態様によれば、本発明は、電子装置を提供し、電子装置は、本体と、ディスプレイ画面モジュールと、バッテリと、筐体とを含み、本体は、収容溝と、バッテリ部と、回路ボードとを含み、本体は、第１の面と、第１の面とは反対側の第２の面とを含み、収容溝は、第１の面に位置し、バッテリ部は、第２の面に位置し、回路ボードは、バッテリ部に隣接し、フレキシブル回路ボードが、ディスプレイ画面モジュール上に配置され、穴が、収容溝の溝底壁内に配置され、穴は、第２の面の、バッテリ部が配置された一端を貫通し、バッテリは、バッテリ部内に収容され、筐体は、本体を覆って、バッテリ部を囲い、ディスプレイ画面モジュールは、収容溝内に収容され、フレキシブル回路ボードは、穴を貫通し、バッテリ部の側部からバッテリの、筐体に対面する表面へ屈曲し、回路ボードに接続するまで、当該表面に沿って延設する。
【０００５】
第１の可能な実装では、フレキシブル回路ボードは、接続セグメントと、曲げセグメントと、延設セグメントとを含み、曲げセグメントは、接続セグメントと延設セグメントとを接続し、接続セグメントは、ディスプレイ画面モジュールに接続され、延設セグメントは、回路ボードに接続される。
【０００６】
第１の可能な実装を参照すると、第２の可能な実装では、メッシュ状の銅レイヤが、曲げセグメントの表面に配置される。
【０００７】
第１の可能な実装を参照すると、第３の可能な実装では、バッファ溝が、接続セグメント上に配置され、バッファ溝は、接続セグメントと曲げセグメントとの間の接合部の２つの側部に位置付けられ、バッファ溝は、接続セグメントへ延設する。
【０００８】
第１の可能な実装を参照すると、第４の可能な実装では、ディスプレイ画面モジュールは、ガラス基板を含み、接続セグメントの、曲げセグメントから離れた表面の一部は、ガラス基板の表面に取り付けられ、接続セグメントの、曲げセグメントから離れた表面の別の一部は、ガラス基板から延設し、ガラス基板とである角度を形成し、接着材が、当該角度で設けられる。
【０００９】
第４の可能な実装を参照すると、第５の可能な実装では、接続片が、延設セグメントの、曲げセグメントから離れた一端に配置され、接続片は、回路ボードを電気的に接続するように構成される。
【００１０】
第５の可能な実装を参照すると、第６の可能な実装では、接地ピンが、接続片上に配置され、フレキシブル回路ボードの接地を行うように構成される。
【００１１】
第１乃至第５の可能な実装のいずれか１つを参照すると、第７の可能な実装では、第１の位置決め線が、延設セグメントの、バッテリ部の裏側に位置する表面に配置され、第１の位置決め線は、回路ボードに関して、フレキシブル回路ボードの差込位置を決定するように構成される。
【００１２】
第１乃至第５の可能な実装のいずれか１つを参照すると、第８の可能な実装では、位置決めノッチが、延設セグメントの２つの側部に配置される。
【００１３】
第１乃至第５の可能な実装のいずれか１つを参照すると、第９の可能な実装では、第２の位置決め線が、曲げセグメントと延設セグメントとの間の接合部の表面に配置され、第２の位置決め線は、穴に関して、曲げセグメントの位置を決定するように構成される。
【００１４】
第１の態様または第１乃至第６の可能な実装のいずれか１つを参照すると、第１０の可能な実装では、延設セグメントの、バッテリに対面する表面は、両面テープを使用することによって、バッテリに固定される。
【００１５】
第１の態様または第１乃至第６の可能な実装のいずれか１つを参照すると、第１１の可能な実装では、バッファパッドが、筐体の、バッテリに対面する表面に配置され、バッファパッドは、フレキシブル回路ボードおよびバッテリを保持する。
【００１６】
第１の態様または第１乃至第５の可能な実装のいずれか１つを参照すると、第１２の可能な実装では、ある間隔で配置される２つの導電レイヤが、延設セグメントの、バッテリに対面する表面に配置される。
【００１７】
第１の態様または第１乃至第６の可能な実装のいずれか１つを参照すると、第１３の可能な実装では、収容溝は、溝底壁を含み、穴は、溝底壁の縁に配置され、電子装置は、ラウドスピーカと、ラウドスピーカサポートとをさらに含み、ラウドスピーカサポートは、本体に取り付けられ、穴の縁と筐体との間でクランプ留めされる。
【００１８】
第１乃至第６の可能な実装のいずれか１つを参照すると、第１４の可能な実装では、ディスプレイ画面モジュールは、ＥＳＲ反射フィルムを含み、ＥＳＲ反射フィルムの厚さは、０．０８９ｍｍであり、バッファレイヤが、ＥＳＲ反射フィルムの、接続セグメントとは反対側の表面に配置される。
【００１９】
要約すると、本発明における電子装置のディスプレイ画面モジュールのフレキシブル回路ボードは、バッテリとバッテリ部との間に位置するよりもむしろ、バッテリと筐体との間の外側に位置する。したがって、組み立て中に、ディスプレイ画面モジュールのための収容溝も、ディスプレイ画面モジュールのフレキシブル回路ボードも、バッテリからの押力が原因で押されることはない。これは、収容溝に対する押力によって引き起こされる本体の曲がりおよび変形を回避し、本体の平面度を保証する。
【図面の簡単な説明】
【００２０】
本発明の実施形態における技術的解決策をより明白に説明するために、以下、実施形態を説明するために必要とされる添付の図面について簡潔に説明する。明らかに、以下の説明における添付の図面は、単に本発明のいくつかの実施形態を示しているにすぎず、当業者は、創造的な努力をせずに、依然としてこれらの添付の図面から他の図面を導出し得る。
【００２１】
【図１】本発明による電子装置の構成の概略分解図である。
【図２】図１に示された電子装置の別の角度からの概略分解図である。
【図３】図１に示されたディスプレイ画面モジュールの概略構成図である。
【図４】装置が部分的に組み立てられた後の図１に示された電子装置の概略平面図である。
【図５】図１に示された電子装置の内部の概略側面図である。
【発明を実施するための形態】
【００２２】
以下、本発明の実装における添付の図面を参照して、本発明の実装における技術的解決策について明白かつ完全に説明する。
【００２３】
本発明は、電子装置を提供する。本発明の実施形態における電子装置は、限定されないが、携帯電話、タブレットコンピュータ、パームトップコンピュータ、パーソナルデジタルアシスタント（Ｐｅｒｓｏｎａｌ  Ｄｉｇｉｔａｌ  Ａｓｓｉｓｔａｎｔ、ＰＤＡ）、または電子リーダを含む。これは、本発明の実施形態においては特に限定的されない。この実施形態では、携帯電話が、例として使用される。
【００２４】
図１および図２を参照すると、電子装置は、本体１０と、ディスプレイ画面モジュール２０と、バッテリ３０と、筐体４０とを含む。本体１０は、収容溝１１と、バッテリ部１３と、回路ボード１５とを含む。本体１０は、第１の面（図示せず）と、第１の面とは反対側の第２の面（図示せず）とを含む。収容溝１１は、第１の面に位置する。バッテリ部１３は、第２の面に位置する。回路ボード１５およびバッテリ部１３は、隣接して配置される。フレキシブル回路ボード２１が、ディスプレイ画面モジュール２０上に配置される。穴１１２が、収容溝１１の溝底壁の側部に配置される。穴１１２は、第２の面の、バッテリ部１３が配置された一端を貫通する。すなわち、穴１１２は、第２の面の、バッテリ部１３が回路ボード１５から離れた一端に位置する。バッテリ３０は、バッテリ部１３内に収容される。筐体４０は、本体１０を覆ってバッテリ部１３を囲む。ディスプレイ画面モジュール２０は、収容溝１１内に収容される。フレキシブル回路ボード２１は、穴１１２を貫通し、バッテリ部１３の側部からバッテリ３０の、筐体４０と対面する表面へ屈曲し、回路ボード１５に接続するまでその表面に沿って延設する。
【００２５】
この実施形態では、本体１０は、電子装置の前面カバーであり、長方形の形状で設定される。本体は、外面１０１と、外面１０１とは反対側に設けられた内面１０２とを含む。収容溝１１は、外面１０１に配置された長方形の溝であり、ディスプレイ画面モジュール２０を収容するように構成される。バッテリ部１３は、内面１０２の一端に配置され、バッテリ３０を収容するように構成される。回路ボード１５は、内面１０２に取り付けられ、バッテリ部１３に隣接して配置される。筐体４０は、本体１０の内面１０２を覆い、バッテリ３０および回路ボード１５を本体１０に囲むように構成される。この実施形態では、筐体４０は、電子装置のバッテリカバーである。凹部が、筐体４０の、バッテリに対面した面に設けられてよい。凹部は、電子装置の全体的な厚みを小さくするために、バッテリ部１３と協働して、バッテリ３０全体を収容するように構成される。フレキシブル回路ボード２１は、具体的には、バッテリ部の区画壁の周辺を通り、バッテリ部１３の上部へ延設する、すなわち、バッテリ部１３の開口の上部へ屈曲し、その後バッテリの表面に固く取り付けられ、回路ボードに接続するまでその表面に沿って延設する。
【００２６】
図１および図５を共に参照すると、さらに、収容溝１１は、溝底壁（図示せず）と、溝底壁の周りに設けられた溝側壁（図示せず）とを含む。穴１１２は、溝底壁の側部の縁に設けられる。電子装置はさらに、ラウドスピーカ（図示せず）と、ラウドスピーカサポート１７とを含む。ラウドスピーカサポート１７は、本体１０に取り付けられ、穴１１２の縁と筐体４０との間でクランプ留めされる。
【００２７】
この実施形態では、穴１１２は、溝底壁の縁に、すなわち、溝底壁にあり、かつ溝側壁に隣接する位置に配置される。バッテリ部１３および回路ボード１５の取り付け位置は、穴１１２を設計するために特定のスペースが本体１０において確保されるように、穴１１２に関して、本体１０の側部に向かって移動される。この実施形態では、穴１１２は、長方形であり、穴１１２のサイズは、１４ｍｍ×６ｍｍである。穴１１２は、収容溝１１の溝底壁の縁に配置され、穴１１２は、バッテリ部１３の側部に位置し、バッテリ部に入り込まない。穴１１２は、バッテリ部の側部に位置し、バッテリ部１３の底からよりもむしろ、収容溝１１から入り込み、厚さの縮小により、取って代えられるように穴１１２の位置で行われる必要がないので、バッテリが穴１１２に直接圧力を加えることが防止され、本体１０の全体的な強度に対する影響が低減される。加えて、ラウドスピーカサポート１７が、穴１１２の縁を保持する。このことが、さらに、溝底壁の強度を増し、溝底壁の変形を回避し、それによって本体１０の強度を増す。
【００２８】
図３および図５を共に参照すると、さらに、フレキシブル回路ボード２１は、接続セグメント２１１と、曲げセグメント２１３と、延設セグメント２１５とを含む。曲げセグメント２１３は、接続セグメント２１１と延設セグメント２１５とを接続する。曲げセグメント２１３は、接続セグメント２１１から延設し、延設セグメント２１５は、曲げセグメント２１３から延設する。接続セグメント２１１は、ディスプレイ画面モジュール２０に接続される。延設セグメント２１５は、延設セグメント２１５に接続される。さらに、ディスプレイ画面モジュール２０は、ガラス基板２２を含む。接続セグメント２１１の、曲げセグメント２１３から離れた表面の一部は、ガラス基板２２の表面に取り付けられる。接続セグメント２１１の、曲げセグメント２１３から離れた表面の別の一部は、ガラス基板２２から延設し、ガラス基板２２とである角度を形成する。接着材２３が、その角度で設けられる。
【００２９】
図５を参照すると、この実施形態では、曲げセグメント２１３が、ディスプレイ画面モジュール２０から離れた接続セグメント２１１の一端から延設する。延設セグメント２１５は、曲げセグメント２１３の、接続セグメント２１１から離れた一端から延設することによって形成される。
【００３０】
ディスプレイ画面モジュール２０は、液晶ディスプレイである。別の実施形態では、ディスプレイ画面モジュール２０は、ＬＥＤディスプレイ画面としてよい。ガラス基板２２は、液晶ディスプレイのアレイ基板またはカラーフィルム基板であることが理解されることができる。ディスプレイ画面モジュール２０は、ディスプレイ表面２０１と、裏面２０２とを含む（図１と図２とを共に参照）。フレキシブル回路ボード２１は、裏面２０２に配置されており、フレキシブル回路ボード２１と裏面２０２との間には、ギャップがある。フレキシブル回路ボード２１は、ほぼ、ストリップ形状のプレート構造である。接続セグメント２１１は、接続面２１１１を含む。接続面２１１１の一端は、ガラス基板２２の一端の面に取り付けられる。接続面２１１１は、接続セグメント２１１とともに、ガラス基板２２の端部の周辺で曲がり、ガラス基板２２と平行して配置される。接続セグメント２１１の自由端は延設し、曲げセグメント２１３を形成する。曲げセグメント２１３はほぼＺ形状であり、フレキシブル回路ボードが穴１１２を貫通してバッテリ部１３の区画壁の周囲を通り、また延設セグメント２１５がバッテリ部１３の上部に位置してバッテリ３０に取り付けられるようにする。曲げセグメント２１３の、接続セグメント２１１から離れた一端は、延設し、延設セグメント２１５を形成する。延設セグメント２１５の自由端は、フラットボード構造または曲げ構造としてよい。
【００３１】
さらに、メッシュ状の銅レイヤが、曲げセグメント２１３の表面に設けられる。バッファ溝２１２（図３を参照）が、接続セグメント２１１と曲げセグメント２１３との間の接合部の２つの側部に配置され、接続セグメント２１１へ延設する。この実施形態では、曲げセグメント２１３の表面において、メッシュ状の銅レイヤの設計が、ＥＭＩインクコーティングの代わりに使用され、曲げられた場合に曲げセグメント２１３が崩れるのを防止するために、軟化処理が、曲げセグメント２１３に対して行われる。加えて、バッファ溝２１２が、接続セグメント２１１と曲げセグメント２１３との間の接合部に配置される。これは、曲がる際に、接続セグメント２１１と曲げセグメント２１３との間の応力を弱め、破壊の可能性を小さくすることができる。
【００３２】
さらに、接続片２１６が、延設セグメント２１５の、曲げセグメント２１３から離れた一端に配置され、回路ボード１５を電気的に接続するように構成される。この実施形態では、接続片２１６は、エッジコネクタである。別の実施形態では、接続片２１６は、電気的コネクタとしてよい。相応して、接続片２１６に電気的に接続される導電構造が、回路ボード１５上に配置される。
【００３３】
さらに、接地ピン（図示せず）が、接続片２１６上に設けられ、フレキシブル回路ボード２１の接地を行うように構成される。すなわち、金属板（接地ピン）が、エッジコネクタから選択され、接地設計を行い、フレキシブル回路ボードの接地を行う。
【００３４】
さらに、第１の位置決め線２１７が、延設セグメント２１５の、バッテリ部１３の裏側に位置する表面に配置され、回路ボード１５に関して、フレキシブル回路ボード２１の差込位置を決定するように構成される。位置決めノッチ２１８が、延設セグメントの２つの側部に配置される。第２の位置決め線２１９が、曲げセグメント２１３と延設セグメント２１５との間の接合部の表面に配置され、穴１１２に関して、曲げセグメント２１３の位置を決定するように構成される。この実施形態では、ある間隔で配置される２つの第１の位置決め線２１７がある。
【００３５】
図３、図４および図５を共に参照すると、この実施形態では、電子装置の組み立て中に、本体が、まず、治具内に置かれ、バッテリ３０が、バッテリ部１３内に事前に取り付けられ、その後、ディスプレイ画面モジュール２０が、機械ハンドラを使用することによって、取り付け態様で、収容溝１１内に取り付けられる。フレキシブル回路ボード２１は、穴１１２を貫通し、バッテリ３０の、バッテリ部１３から露出された表面に位置付けられる。その後、フレキシブル回路ボードは、治具（図示せず）を使用することによって、バッテリ３０と揃えて組み立てられる。この場合、フレキシブル回路ボード２１の延設は、第２の位置決め線２１９を使用することによって位置決めされる。すなわち、フレキシブル回路ボード２１が引っ張られ、引き伸ばされているときに、曲げセグメントが穴から引き出されることを防止するために、曲げセグメント２１３が、穴において正しく位置付けられることが保証される。延設セグメント２１５が２つの側部に逸れることを防止するために、延設セグメント２１５が回路ボードに差し込まれて、位置合わせされているかどうかが、第１の位置決め線２１７、位置決めノッチ２１８、および治具を使用することによって決定される。この過程では、フレキシブル回路ボード２１は、バッテリとバッテリ部との間よりもむしろ、バッテリの外側に位置するので、またバッテリが最初に取り付けられ、ディスプレイ画面モジュール２０およびフレキシブル回路ボードは押さえられないので、ディスプレイ画面モジュールを収容する収容溝に加えられる押力によって引き起こされる本体の曲がりおよび変形が回避され、収容溝の平面度が保証される。
【００３６】
さらに、フレキシブル回路ボード２１が、バッテリに関してシフトすることを防止するために、延設セグメント２１５の、バッテリ３０に対面する表面は、両面テープを使用することによって、バッテリ３０に固定される。
【００３７】
さらに、バッファパッド４１が、筐体４０の、バッテリ３０に対面する表面に配置される。バッファパッド４１は、フレキシブル回路ボード２１およびバッテリ３０を保持して、電子装置の振動中のバッテリの緩やかな運動を防止し、バッテリ電力の供給を保証し、さらにフレキシブル回路ボードを位置決めする。この実施形態では、バッファパッド４１は、発泡体である。
【００３８】
さらに、ある間隔で配置される２つの導電レイヤ（図示せず）が、延設セグメント２１５の、バッテリ３０に対面する表面に配置される。導電レイヤは、導電接着剤または導電発泡体としてよく、この実施形態では、導電発泡体である。筐体を用いて導電レイヤを強く押すことによりさらに、フレキシブル回路ボード２１を固定することができ、フレキシブル回路ボード２１の接地も行うことができる。
【００３９】
さらに、ディスプレイ画面モジュール２０は、ＥＳＲ反射フィルム（図示せず）を含む。ＥＳＲ（高鏡面反射体反射体プレート）反射フィルムの厚さは、０．０８９ｍｍであり、バッファレイヤ（図示せず）が、ＥＳＲ反射フィルムの、接合部とは反対側の表面に配置される。この構成は、フレキシブル回路ボードが、ＥＳＲ反射フィルムを押し、ＥＳＲ反射フィルムの機能に影響することを防止することができる。
【００４０】
本発明における電子装置のディスプレイ画面モジュールのフレキシブル回路ボード２１は、バッテリとバッテリ部との間に位置するよりもむしろ、バッテリと筐体との間の外側に位置する。この方法では、ディスプレイ画面モジュール２０のための収容溝も、ディスプレイ画面モジュールのフレキシブル回路ボードも、バッテリからの押力のために押されることはない。これは、収容溝に対する押力によって引き起こされる本体の曲がりおよび変形を回避し、本体の平面度を保証する。
【００４１】
上述の説明は、本発明の好ましい実装である。当業者が、本発明の原理から逸脱することなく、いくつかの改良および洗練を行うことがあり、上記改良および洗練は、本発明の保護範囲内に入るものとなることに留意されたい。
【図１】
0006434656.tif 000002
【図２】
0006434656.tif 000003
【図３】
0006434656.tif 000004
【図４】
0006434656.tif 000005
【図５】
0006434656.tif 000006